【手続補正書】
【提出日】平成25年1月22日(2013.1.22)
【手続補正１】
【補正対象書類名】特許請求の範囲
【補正対象項目名】全文
【補正方法】変更
【補正の内容】
【特許請求の範囲】
【請求項１】
一のポートから他のポートへデータ転送を行うデータ中継装置であって、
各ポートにそれぞれ対応して設けられた送信部及び受信部と、
一のポートの受信部と他のポートの送信部との間に設けられ、データ転送の中継処理を行う中継処理部と、
一のポートの受信部における受信機能を低下させて電力消費を低減し、かつ、所定の復帰条件に至ったときに当該受信機能を復帰させる機能制御を行う機能制御部と、を備え、
前記機能制御部は、一のポートに接続される通信相手から前記機能制御の指示を受けた場合には当該指示に基づいて当該機能制御を実行し、当該指示に依存せず自ら前記機能制御を実行する場合には当該機能制御に関する情報を前記通信相手に通知することを特徴とするデータ中継装置。
【請求項２】
前記機能制御部は、前記受信部を対象とする機能制御とともに、前記受信部と同一のポートにある送信部についても、送信機能を低下させて電力消費を低減し、かつ、前記復帰条件に至ったときに当該送信機能を復帰させる機能制御を実行する請求項１記載のデータ中継装置。
【請求項３】
前記機能制御部は、前記受信部を対象とする機能制御とともに、前記中継処理部についても、一部の機能を低下させて電力消費を低減し、かつ、前記復帰条件に至ったときに当該一部の機能を復帰させる機能制御を実行する請求項１記載のデータ中継装置。
【請求項４】
前記所定の復帰条件は、以下のいずれかを含む請求項１〜３のいずれか１項に記載のデータ中継装置。
（ａ）所定時間の経過
（ｂ）所定時刻の到来
【請求項５】
前記機能制御部は前記所定時間又は前記所定時刻を自ら設定する請求項４記載のデータ中継装置。
【請求項６】
前記機能制御部は、前記所定時間又は前記所定時刻を、前記通信相手によって指示された時間又は時刻とする請求項４記載のデータ中継装置。
【請求項７】
前記機能制御部による機能制御の対象となる機能の現在の状態を前記通信相手に通知する請求項１〜３のいずれか１項に記載のデータ中継装置。
【請求項８】
前記機能制御部は、前記通信相手から最後にデータを受信した時からの経過時間を計測し、計測した時間が所定時間に達すると、機能を低下させる前記機能制御を実行する請求項１〜３のいずれか１項に記載のデータ中継装置。
【請求項９】
前記機能制御部は、前記通信相手からデータを受信する頻度を計測し、計測した頻度が所定値以下になると、機能を低下させる前記機能制御を実行する請求項１〜３のいずれか１項に記載のデータ中継装置。
【請求項１０】
前記機能制御部は、一のポートから他のポートへデータが中継される場合にのみ、データを受信したものとして扱う請求項８又は９に記載のデータ中継装置。
【請求項１１】
機能を低下させる前記機能制御を実行する時に、当該機能を復帰させるまでの時間又は当該機能を復帰させる時刻を前記通信相手に通知する請求項４記載のデータ中継装置。
【請求項１２】
前記通信相手からの指示ではなく自ら、機能を低下させる前記機能制御を実行する場合に、低下させることを知らせる通知が前記通信相手に届き、かつ、当該通信相手が送信を停止するまでに既に送信されていたデータが届くまでに要する時間内は、機能を低下させる前記機能制御を実際に実行することを猶予する請求項１〜３のいずれか１項に記載のデータ中継装置。
【請求項１３】
前記通信相手からの指示ではなく自ら、機能を低下させる前記機能制御を実行する場合に、低下させることを知らせる通知が前記通信相手に届き、前記通信相手がその通知を認識し、かつ、認識したことを知らせる通知が前記通信相手から届くまでの時間内は、機能を低下させる前記機能制御を実際に実行することを猶予する請求項１〜３のいずれか１項に記載のデータ中継装置。
【請求項１４】
機能の低下の態様は、予め複数モードに規定されており、いずれかのモードを前記機能制御部が選択する請求項１〜３のいずれか１項に記載のデータ中継装置。
【請求項１５】
機能を低下させた制限動作モードから通常動作モードへ復帰するまでに要する時間に関連して複数の制限動作モードが用意され、各制限動作モードにおいて制限動作に移行させる回路がそれぞれの回路の起動時間に基づいて予め決定されている、請求項１４記載のデータ中継装置。
【請求項１６】
機能の低下とは、機能を停止させることである請求項１〜３のいずれか１項に記載のデータ中継装置。
【請求項１７】
一のポートから受信したデータに中継処理を介して他のポートから送信を行うデータ中継装置の機能制御方法であって、
一のポートの受信部における受信機能を低下させて電力消費を低減し、かつ、所定の復帰条件に至ったときに当該受信機能を復帰させる機能制御を実行するにあたって、一のポートに接続される通信相手から前記機能制御の指示を受けた場合には当該指示に基づいて当該機能制御を実行し、当該指示に依存せず自ら前記機能制御を実行する場合には当該機能制御に関する情報を前記通信相手に通知することを特徴とする機能制御方法。
【手続補正２】
【補正対象書類名】明細書
【補正対象項目名】０００９
【補正方法】変更
【補正の内容】
【０００９】
（１）本発明は、一のポートから他のポートへデータ転送を行うデータ中継装置であって、各ポートにそれぞれ対応して設けられた送信部及び受信部と、一のポートの受信部と他のポートの送信部との間に設けられ、データ転送の中継処理を行う中継処理部と、一のポートの受信部における受信機能を低下させて電力消費を低減し、かつ、所定の復帰条件に至ったときに当該受信機能を復帰させる機能制御を行う機能制御部と、を備え、前記機能制御部は、一のポートに接続される通信相手から前記機能制御の指示を受けた場合には当該指示に基づいて当該機能制御を実行し、当該指示に依存せず自ら前記機能制御を実行する場合には当該機能制御に関する情報を前記通信相手に通知することを特徴とするものである。
【手続補正３】
【補正対象書類名】明細書
【補正対象項目名】００１０
【補正方法】変更
【補正の内容】
【００１０】
上記のように構成されたデータ中継装置では、ポートの受信部における受信機能を低下させてその電力消費を低減することができる。また、機能制御部は、一のポートに接続される通信相手から機能制御の指示を受けた場合には当該指示に基づいて当該機能制御を実行し、当該指示に依存せず自ら機能制御を実行する場合には当該機能制御に関する情報を通信相手に通知するので、受信機能を低下させているという認識を、通信相手と共有することができる。これにより、受信機能を低下させているとき通信相手は当該データ中継装置にデータ送信を行わないようにすることができる。また、所定の復帰条件に至ったときに、データ中継装置は元の状態に復帰することができる。このようにして、このデータ中継装置では、データ受信を失敗することなく、省電力を実現することができる。
【手続補正４】
【補正対象書類名】明細書
【補正対象項目名】００１１
【補正方法】変更
【補正の内容】
【００１１】
（２）また、上記（１）のデータ中継装置において、機能制御部は、受信部を対象とする機能制御とともに、受信部と同一のポートにある送信部についても、送信機能を低下させて電力消費を低減し、かつ、復帰条件に至ったときに当該送信機能を復帰させる機能制御を実行するようにしてもよい。
【手続補正５】
【補正対象書類名】明細書
【補正対象項目名】００１２
【補正方法】変更
【補正の内容】
【００１２】
上記のように構成されたデータ中継装置では、ポートの受信部及び送信部のそれぞれにおける受信機能及び送信機能を低下させてその電力消費を低減することができる。機能制御部は、一のポートに接続される通信相手から機能制御の指示を受けた場合には当該指示に基づいて当該機能制御を実行し、当該指示に依存せず自ら機能制御を実行する場合には当該機能制御に関する情報を通信相手に通知するので、機能を低下させているという認識を、通信相手と共有することができる。これにより、機能を低下させているとき通信相手は当該データ中継装置にデータ送信を行わないようにすることができる。また、所定の復帰条件に至ったときに、データ中継装置は元の状態に復帰することができる。このようにして、このデータ中継装置では、データ受信を失敗することなく、省電力を実現することができる。
【手続補正６】
【補正対象書類名】明細書
【補正対象項目名】００１３
【補正方法】変更
【補正の内容】
【００１３】
（３）また、上記（１）のデータ中継装置において、機能制御部は、受信部を対象とする機能制御とともに、中継処理部についても、一部の機能を低下させて電力消費を低減し、かつ、復帰条件に至ったときに当該一部の機能を復帰させる機能制御を実行するようにしてもよい。
【手続補正７】
【補正対象書類名】明細書
【補正対象項目名】００１４
【補正方法】変更
【補正の内容】
【００１４】
上記のように構成されたデータ中継装置では、ポートの受信部における受信機能や中継処理部における一部の機能を低下させてその電力消費を低減することができる。また、機能制御部は、一のポートに接続される通信相手から機能制御の指示を受けた場合には当該指示に基づいて当該機能制御を実行し、当該指示に依存せず自ら機能制御を実行する場合には当該機能制御に関する情報を通信相手に通知するので、機能を低下させているという認識を、通信相手と共有することができる。これにより、機能を低下させているとき通信相手は当該データ中継装置にデータ送信を行わないようにすることができる。また、所定の復帰条件に至ったときに、データ中継装置は元の状態に復帰することができる。このようにして、このデータ中継装置では、データ受信を失敗することなく、省電力を実現することができる。
【手続補正８】
【補正対象書類名】明細書
【補正対象項目名】００１８
【補正方法】変更
【補正の内容】
【００１８】
（７）また、上記（１）〜（３）のいずれかのデータ中継装置において、機能制御部による機能制御の対象となる機能の現在の状態を通信相手に通知するようにしてもよい。
この場合、通信相手は、機能制御部の制御によって変化するデータ中継装置の現在の状態を確実に知ることができる。
【手続補正９】
【補正対象書類名】明細書
【補正対象項目名】００１９
【補正方法】変更
【補正の内容】
【００１９】
（８）また、上記（１）〜（３）のいずれかのデータ中継装置において、機能制御部は、通信相手から最後にデータを受信した時からの経過時間を計測し、計測した時間が所定時間に達すると機能を低下させる機能制御を実行するようにしてもよい。
この場合、所定時間データ受信が無い場合に、データ中継装置が自律的に、省電力を実現することができる。
【手続補正１０】
【補正対象書類名】明細書
【補正対象項目名】００２０
【補正方法】変更
【補正の内容】
【００２０】
（９）また、上記（１）〜（３）のいずれかのデータ中継装置において、機能制御部は、通信相手からデータを受信する頻度を計測し、計測した頻度が所定値以下になると機能を低下させる機能制御を実行するようにしてもよい。
この場合、データ受信の頻度が所定値以下に下がった場合に、データ中継装置が自律的に、省電力を実現することができる。
【手続補正１１】
【補正対象書類名】明細書
【補正対象項目名】００２２
【補正方法】変更
【補正の内容】
【００２２】
（１１）また、上記（４）のデータ中継装置において、機能を低下させる機能制御を実行する時に、当該機能を復帰させるまでの時間又は当該機能を復帰させる時刻を通信相手に通知するようにしてもよい。
この場合、復帰後に、復帰した事実をデータ中継装置から通信相手に通知しなくても、通信相手は、前もって、当該データ中継装置に送信可能となる時期を把握することができる。
【手続補正１２】
【補正対象書類名】明細書
【補正対象項目名】００２３
【補正方法】変更
【補正の内容】
【００２３】
（１２）また、上記（１）〜（３）のいずれかのデータ中継装置において、通信相手からの指示ではなく自ら、機能を低下させる機能制御を実行する場合に、低下させることを知らせる通知が通信相手に届き、かつ、当該通信相手が送信を停止するまでに既に送信されていたデータが届くまでに要する時間内は、機能を低下させる機能制御を実際に実行することを猶予することが好ましい。
この場合、通知が通信相手に届き、かつ、既に送信されていたデータが届くまで待って機能低下させることになるので、機能低下させる寸前に既に通信相手から自己宛に送信されたデータを確実に受信することができる。このようにして、通信相手と、信頼性の高い連携をとることができる。
【手続補正１３】
【補正対象書類名】明細書
【補正対象項目名】００２４
【補正方法】変更
【補正の内容】
【００２４】
（１３）また、上記（１）〜（３）のいずれかのデータ中継装置において、通信相手からの指示ではなく自ら、機能を低下させる機能制御を実行する場合に、低下させることを知らせる通知が通信相手に届き、通信相手がその通知を認識し、かつ、認識したことを知らせる通知が通信相手から届くまでの時間内は、機能を低下させる機能制御を実際に実行することを猶予するようにしてもよい。
この場合、通知が通信相手に届き、かつ、それを了承した通知が届くまで待って機能低下させることになるので、機能低下させる前に既に通信相手から自己宛に送信されたデータを確実に受信することができる。このようにして、通信相手と、信頼性の高い連携をとることができる。
【手続補正１４】
【補正対象書類名】明細書
【補正対象項目名】００２８
【補正方法】変更
【補正の内容】
【００２８】
（１７）また、本発明は、一のポートから受信したデータに中継処理を介して他のポートから送信を行うデータ中継装置の機能制御方法であって、一のポートの受信部における受信機能を低下させて電力消費を低減し、かつ、所定の復帰条件に至ったときに当該受信機能を復帰させる機能制御を実行するにあたって、一のポートに接続される通信相手から前記機能制御の指示を受けた場合には当該指示に基づいて当該機能制御を実行し、当該指示に依存せず自ら前記機能制御を実行する場合には当該機能制御に関する情報を前記通信相手に通知することを特徴とする。
【手続補正１５】
【補正対象書類名】明細書
【補正対象項目名】００２９
【補正方法】変更
【補正の内容】
【００２９】
上記のようなデータ中継装置の機能制御方法では、ポートの受信部における受信機能を低下させてその電力消費を低減することができる。また、機能制御を実行するにあたって、一のポートに接続される通信相手から機能制御の指示を受けた場合には当該指示に基づいて当該機能制御を実行し、当該指示に依存せず自ら機能制御を実行する場合には当該機能制御に関する情報を通信相手に通知するので、受信機能を低下させているという認識を、通信相手と共有することができる。これにより、受信機能を低下させているとき通信相手は当該データ中継装置にデータ送信を行わないようにすることができる。また、所定の復帰条件に至ったときに、データ中継装置は元の状態に復帰することができる。このようにして、この機能制御方法では、データ受信を失敗することなく、省電力を実現することができる。